【手続補正書】
【提出日】平成18年1月18日(2006.1.18)
【手続補正１】
【補正対象書類名】明細書
【補正対象項目名】発明の名称
【補正方法】変更
【補正の内容】
【発明の名称】インクジェット記録装置、画像形成装置、液滴を吐出する装置
【手続補正２】
【補正対象書類名】明細書
【補正対象項目名】特許請求の範囲
【補正方法】変更
【補正の内容】
【特許請求の範囲】
【請求項１】
インク滴を吐出するノズルが連通する加圧室の容積を収縮、膨張させる圧力発生手段を有するヘッドを搭載するインクジェット記録装置において、前記ヘッドの圧力発生手段に対して印加する駆動信号を発生する手段を備え、前記駆動信号は、前記加圧室を収縮させてインク滴を吐出させる第１の波形要素と、この第１の波形要素より後に発生されて前記加圧室の容積を変化させて滴吐出後の残留振動を抑制する第２の波形要素とを含み、前記第１、第２の波形要素の各発生タイミングの時間間隔Ｔ１と前記加圧室の固有振動周期Ｔｃとが、Ｔ１＜Ｔｃの関係にあることを特徴とするインクジェット記録装置。
【請求項２】
請求項１に記載のインクジェット記録装置において、前記第１、第２の波形要素の各発生タイミングの時間間隔Ｔ１と前記加圧室の固有振動周期Ｔｃとが、Ｔｃ／４≦Ｔ１≦３・Ｔｃ／４の関係にあることを特徴とするインクジェット記録装置。
【請求項３】
請求項１又は２に記載のインクジェット記録装置において、前記駆動信号は、前記第１の波形要素で収縮された前記加圧室の収縮状態を保持する第３の波形要素を含むことを特徴するインクジェット記録装置。
【請求項４】
請求項１ないし３のいずれかに記載のインクジェット記録装置において、前記駆動信号は、前記第１の波形要素に先立ち前記加圧室を膨張させる第４の波形要素を含み、前記第４、第１の各波形要素の発生タイミングの時間間隔Ｔ２と前記加圧室の固有振動周期Ｔｃとが、Ｔｃ／４≦Ｔ２≦３・Ｔｃ／４の関係にあることを特徴とする液滴吐出ヘッド。
【請求項５】
請求項４に記載のインクジェット記録装置において、前記第４、第２の各波形要素の発生タイミングの時間間隔Ｔ３と前記加圧室の固有振動周期Ｔｃとが、３・Ｔｃ／４≦Ｔ３≦５・Ｔｃ／４の関係にあることを特徴とする液滴吐出ヘッド。
【請求項６】
請求項４又は５に記載のインクジェット記録装置において、前記第１の波形要素の期間Ｔ４が加圧室の固有振動周期Ｔｃの１／２以下であることを特徴とするインクジェット記録装置。
【請求項７】
請求項４ないし６のいずれかに記載のインクジェット記録装置において、前記第２の波形要素の変化電位は第４の波形要素の変化電位の１／４〜３／４の範囲内であることを特徴とするインクジェット記録装置。
【請求項８】
請求項４ないし７のいずれかに記載のインクジェット記録装置において、前記第２の波形要素の後に発生されて前記加圧室を膨張させる第５の波形要素を含み、前記第２、第５の各波形要素の発生タイミングの時間間隔Ｔ５が加圧室の固有振動周期Ｔｃの１／２であることを特徴とするインクジェット記録装置。
【請求項９】
請求項４ないし８のいずれかに記載のインクジェット記録装置において、前記第２の波形要素の後に発生されて前記加圧室を収縮させる第６の波形要素を含み、前記第２、第６の各波形要素の発生タイミングの時間間隔Ｔ６が加圧室の固有振動周期Ｔｃであることを特徴とするインクジェット記録装置。
【請求項１０】
液滴を吐出するノズルが連通する加圧室の容積を収縮、膨張させる圧力発生手段を有するヘッドを搭載する画像形成装置において、前記ヘッドの圧力発生手段に対して印加する駆動信号を発生する手段を備え、前記駆動信号は、前記加圧室を収縮させてインク滴を吐出させる第１の波形要素と、この第１の波形要素より後に発生されて前記加圧室の容積を変化させて滴吐出後の残留振動を抑制する第２の波形要素とを含み、前記第１、第２の波形要素の各発生タイミングの時間間隔Ｔ１と前記加圧室の固有振動周期Ｔｃとが、Ｔ１＜Ｔｃの関係にあることを特徴とする画像形成装置。
【請求項１１】
液滴を吐出するノズルが連通する加圧室の容積を収縮、膨張させる圧力発生手段を有するヘッドを搭載して液滴を吐出する装置において、前記ヘッドの圧力発生手段に対して印加する駆動信号を発生する手段を備え、前記駆動信号は、前記加圧室を収縮させてインク滴を吐出させる第１の波形要素と、この第１の波形要素より後に発生されて前記加圧室の容積を変化させて滴吐出後の残留振動を抑制する第２の波形要素とを含み、前記第１、第２の波形要素の各発生タイミングの時間間隔Ｔ１と前記加圧室の固有振動周期Ｔｃとが、Ｔ１＜Ｔｃの関係にあることを特徴とする液滴を吐出する装置。
【手続補正３】
【補正対象書類名】明細書
【補正対象項目名】０００１
【補正方法】変更
【補正の内容】
【０００１】
【産業上の利用分野】
本発明はインクジェット記録装置、画像形成装置、液滴を吐出する装置に関する。
【手続補正４】
【補正対象書類名】明細書
【補正対象項目名】０００７
【補正方法】変更
【補正の内容】
【０００７】
本発明は上記の課題に鑑みてなされたものであり、残留振動を抑制して滴吐出特性を適切な値に保ちながら液滴を安定して吐出することで画像品質の低下を防止するインクジェット記録装置、画像形成装置、液滴を安定して吐出することができる液滴を吐出する装置を提供することを目的とする。
【手続補正５】
【補正対象書類名】明細書
【補正対象項目名】０００８
【補正方法】変更
【補正の内容】
【０００８】
【課題を解決するための手段】
上記の課題を解決するため、本発明に係るインクジェット記録装置、画像形成装置、液滴を吐出する装置は、ヘッドの圧力発生手段に対して印加する駆動信号は、加圧室を収縮させてインク滴を吐出させる第１の波形要素と、この第１の波形要素より後に発生されて加圧室の容積を変化させて滴吐出後の残留振動を抑制する第２の波形要素とを含み、第１、第２の波形要素の各発生タイミングの時間間隔Ｔ１と加圧室の固有振動周期Ｔｃとが、Ｔ１＜Ｔｃの関係にある構成としたものである。
【手続補正６】
【補正対象書類名】明細書
【補正対象項目名】００１３
【補正方法】変更
【補正の内容】
【００１３】
【発明の実施の形態】
以下、本発明の実施の形態を添付図面を参照して説明する。図１は本発明に係る液滴を吐出する装置を含む、画像形成装置（画像記録装置）としてのインクジェット記録装置の機構部の概略斜視説明図、図２は同機構部の側面説明図である。
【手続補正７】
【補正対象書類名】明細書
【補正対象項目名】００７１
【補正方法】変更
【補正の内容】
【００７１】
なお、上記実施形態においては、圧電素子はｄ３３方向変位のＰＺＴを前提にしたが、たわみ振動型のＰＺＴでもよい。しかし、ｄ３３方向変位のＰＺＴを用いた方が、素子の信頼性が高い。また、本発明に係るインクジェット記録装置はインク滴を吐出する液滴吐出ヘッドを搭載したものであるが、本発明は、インク以外の液体の滴、例えば、パターニング用の液体レジストを吐出する液滴吐出ヘッド、遺伝子分析試料を吐出する液滴吐出ヘッドなどを搭載する画像記録装置にも適用することできる。また、前述したようにプリンタ、ファクシミリ、複写装置、プロッタ等の画像形成装置及び液滴を吐出する装置にも本発明を適用することができる。
【手続補正８】
【補正対象書類名】明細書
【補正対象項目名】００７２
【補正方法】変更
【補正の内容】
【００７２】
【発明の効果】
以上説明したように、本発明に係るインクジェット記録装置、画像形成装置によれば、第１の波形要素の発生タイミングと第２の波形要素の発生タイミングとの間の時間間隔Ｔ１と加圧室６の固有振動周期Ｔｃとは、Ｔ１＜Ｔｃの関係に設定しているので、加圧室の固有振動によるインクメニスカスの残留振動をいち早く抑制することができ、滴吐出後のミストの発生や噴射曲がりを低減することができて、画像品質が向上する。また、本発明に係る液滴を吐出する装置によれば、滴吐出後のミストの発生や噴射曲がりを低減することができる。